(57)【要約】      （修正有）【課題】紙袋やポリ袋等の代用として有用な、且つ、簡単に袋状にしたりシート状に戻したりすることができるリユース性、ユニバーサルデザイン性に優れた方形布帛を提供する。【解決手段】本風呂敷１は、方形シート状の風呂敷本体２と、この風呂敷本体２の一方の対角線Ｌ１上に位置する２つの隅部に設けられた一組の第１のスナップ３と、風呂敷本体２の他方の対角線Ｌ２上に位置する２つの隅部にそれぞれ設けられた複数組の第２のスナップ４〜７とを備える。第１のスナップ３を留めると、手提げ袋の把持部になり、第２のスナップを全て留めると、手提げ袋のマチ部になる。このように本風呂敷１は、スナップ３〜７を留めたり外したりするだけで簡単に手提げ袋に変形させたり風呂敷に戻したりすることができる。【選択図】図１
0003156333.tif 000002
【実用新案登録請求の範囲】
【請求項１】
a) 方形シート状の布帛本体と、
b) 前記布帛本体の２本の対角線のうち第１の対角線上に位置する２つの隅部に設けられ、当該隅部同士を連結するための第１のスナップと、
c) 前記布帛本体の第２の対角線上に位置する２つの隅部にそれぞれ設けられ、当該隅部を前記第２の対角線に沿って三角形状に折り畳んだ状態を保持するために前記第２の対角線を挟んで配置された複数組の第２のスナップと
を備えることを特徴とする方形布帛。
【請求項２】
第２のスナップは、隅部を折り畳んで形成される三角形状部分の前記第２の対角線を挟んだ２辺にそれぞれ一組ずつ取り付けられていることを特徴とする請求項１に記載の方形布帛。
【請求項３】
第２のスナップは、隅部を三角形状に折り畳んだ部分の第２の対角線を挟んだ２辺に雌部と雄部が分かれて取り付けられていることを特徴とする請求項１に記載の方形布帛。
【考案の詳細な説明】
【技術分野】
【０００１】
本考案は、手提げ袋としても利用でき持ち運びに便利な方形布帛に関する。
【背景技術】
【０００２】
風呂敷は方形状の布製シートから成り、古くより様々な物品の包装に用いられている。風呂敷は、中央に物品を置いた上でその対角線上の２つの隅部を結び合わせて把持部とすれば、どのような形状の物品であっても容易に包装し持ち運ぶことができる。また、使用しない時は小さく折り畳むことができるため、携帯にも便利である。
このような風呂敷の利用方法の一つに、予め風呂敷の４つの隅部のうち対角線上の２つの隅部を結び合わせ、残り２つの隅部にそれぞれ結び目を作って手提げ袋として用いる方法がある（特許文献１）。
【先行技術文献】
【特許文献】
【０００３】
【特許文献１】特開2008-62983号公報（[0003],図3）
【考案の概要】
【考案が解決しようとする課題】
【０００４】
ところが、女性や年配の人等、握力の弱い人にとっては、風呂敷の隅部を結ぶ作業が困難な場合がある。また、風呂敷を手提げ袋にするために作った結び目は、手提げ袋を使っているうちに固く締まってくることがあり、結び目を解いて風呂敷の状態に戻すことが難しいという問題もある。
このような問題は風呂敷以外の方形布帛、例えばハンカチやバンダナ、スカーフ等の隅部を結んで手提げ袋にする場合にも生じる。
【０００５】
本考案が解決しようとする課題は、紙袋やポリ袋等の代用として有用な、且つ、簡単に袋状にしたりシート状に戻したりすることができるリユース性、ユニバーサルデザイン性に優れた方形布帛を提供することである。
【課題を解決するための手段】
【０００６】
上記課題を解決するために成された本考案に係る方形布帛は、
a) 方形シート状の布帛本体と、
b) 前記布帛本体の２本の対角線のうち第１の対角線上に位置する２つの隅部に設けられ、当該隅部同士を連結するための第１のスナップと、
c) 前記布帛本体の第２の対角線上に位置する２つの隅部にそれぞれ設けられ、当該隅部を前記第２の対角線に沿って三角形状に折り畳んだ状態を保持するために前記第２の対角線を挟んで配置された複数組の第２のスナップとを備えることを特徴とする。
【０００７】
本考案は、シート状態と手提げ袋状態とに容易に変形することができる方形布帛の考案である。第１のスナップで布帛本体の第１の対角線上に位置する２つの隅部を連結することにより手提げ袋の把持部が形成され、第２のスナップで布帛本体の第２の対角線上に位置する２つの隅部を対角線に沿って三角形状に折り畳んだ状態を保持することにより、手提げ袋のマチ部が形成される。
【０００８】
この場合、第２のスナップは、隅部を三角形状に折り畳んだ部分の前記第２の対角線を挟んだ２辺にそれぞれ一組ずつ取り付けても良く、隅部を三角形状に折り畳んだ部分の前記第２の対角線を挟んだ２辺に各組のスナップを構成する雌部と雄部を分けて取り付けても良い。
【考案の効果】
【０００９】
本考案の方形布帛によれば、第１及び第２のスナップを留めたり、外したりするだけで、簡単且つ迅速にシート状と手提げ袋状にすることができる。また、本考案の方形布帛は、手提げ袋にしたときにマチ部が形成されるようにしたため、物品を収容し易い。しかも、スナップを取り付けた以外は単なる方形布帛に過ぎないため、不使用時には小さく折り畳んで携帯することができる。
【図面の簡単な説明】
【００１０】
【図１】本考案の実施例１の風呂敷の全体図。
【図２】手提げ袋の状態を示す斜視図。
【図３】風呂敷を手提げ袋状にするまでの手順を示す図。
【図４】本考案の実施例２の風呂敷の全体図。
【図５】本考案の実施例３の風呂敷の全体図（ａ）及び手提げ袋の全体斜視図（ｂ）並びに変形例の風呂敷の全体図（ｃ）。
【考案を実施するための形態】
【００１１】
以下、本考案の方形布帛を風呂敷に適用したいくつかの実施例について図面を参照しながら説明する。
【実施例１】
【００１２】
図１は本考案の実施例１に係る風呂敷１を示している。この風呂敷１は、正方形のシート状の風呂敷本体２と、この風呂敷本体２の２本の対角線のうち一方の対角線Ｌ１上に位置する２つの隅部に取り付けられた一組のスナップ３(第１のスナップ)と、他方の対角線Ｌ２上に位置する２つの隅部に取り付けられた４組のスナップ４〜７(第２のスナップ)から成る。これらスナップ３〜７は、全て風呂敷本体２のおもて面（図柄のある面）に取り付けられている。
【００１３】
４組のスナップ４〜７は、風呂敷本体２の対角線Ｌ２上に位置する２つの隅部にそれぞれ２組ずつ取り付けられている。各２組のスナップは、風呂敷本体２の裏面を上面にして隅部を対角線Ｌ２に沿って折り畳み、二等辺三角形状の部分Ｐ１，Ｐ２を形成したときに、部分Ｐ１，Ｐ２の直角部の両側の２辺の両端付近にそれぞれ配置されている。なお、本実施例では、部分Ｐ１とＰ２の先端が少し重なるように風呂敷本体２の隅部を折り畳むようにしたが（図３の（ａ）参照）、部分Ｐ１とＰ２の先端が離間する位置で折り畳んでも良い。
【００１４】
次に上述の風呂敷１を図２に示す手提げ袋１Ａの状態にするときの手順を図３を参照して説明する。なお、一組のスナップは雌部（凹部）と雄部（凸部）から成り、雌部と雄部を互いに嵌合させることにより連結される。そこで、以下の説明及び図面では、一組のスナップを構成する雌部と雄部には同じ数字と異なる英文字（ａ及びｂ）から成る符号を付している。例えば一組のスナップ３はスナップ３ａ及びスナップ３ｂから成り、これらスナップ３ａ及び３ｂがスナップ３の雌部及び雄部のいずれかとなる。従って、以下の説明で「スナップを留める」とは例えばスナップ３ａとスナップ３ｂを嵌合させることをいう。
【００１５】
まず、風呂敷１をその裏面を上にして広げ、一方の隅部（図３では左側の隅部）を対角線Ｌ２に沿って折り畳んで直角二等辺三角形状の部分Ｐ１を作る（図３（ａ））。続いて、他方の隅部を対角線Ｌ２に沿って折り畳み、直角二等辺三角形の部分Ｐ２を作る（図３（ｂ））。
【００１６】
次に、部分Ｐ２の２組のスナップ６（６ａ,６ｂ）及びスナップ７（７ａ,７ｂ）を留め（図３（ｃ））、その後、部分Ｐ２を横に広げて（図３（ｄ））、部分Ｐ１の２組のスナップ４（４ａ,４ｂ）及びスナップ５（５ａ,５ｂ）を留める（図３（e)）。このように部分Ｐ１及びＰ２のスナップ４〜７を留めた結果、隅部を三角形に折り畳んだ状態が保持され、これにより手提げ袋１Ａのマチ部が形成される。そして、最後に別の対角線Ｌ１上に位置する隅部のスナップ３（３ａ,３ｂ）を留めて把持部とし、手提げ袋１Ａが完成する（図２）。
【００１７】
このように本実施例では、スナップ３〜７を留めるだけで簡単にシート状の風呂敷１を手提げ袋１Ａに変形することができる。また、スナップ３〜７を外すだけで簡単に手提げ袋１Ａの状態からシート状の風呂敷１に戻すことができる。
なお、ここでは、部分Ｐ１、部分Ｐ２を形成した後、スナップを留めるようにしたが、部分Ｐ１を形成してスナップ４，５を留め、続いて、部分Ｐ２を形成してスナップ６，７を留めるようにしても良い。また、部分Ｐ１、部分Ｐ２のどちらを先に形成しても良い。
【実施例２】
【００１８】
図４は本考案の実施例２の風呂敷１のおもて面を示している。なお、図４では風呂敷１の図柄は省略している。この風呂敷１は、風呂敷本体２の対角線Ｌ２上に位置する２つの隅部それぞれ４組のスナップ４〜７及び１０〜１４を取り付けた点が実施例１と異なる。スナップ１０〜１４は三角形状の部分Ｐ１及びＰ２の辺部ではなく内部に取り付けられている。このように、隅部に取り付けるスナップの数を増やすことにより、手提げ袋１Ａにしたときのマチ部の強度を上げることができるため、本実施例は比較的大型の風呂敷に特に有効である。
【実施例３】
【００１９】
図５（ａ）は本考案の実施例３の風呂敷１のおもて面を示している。この風呂敷１では、風呂敷本体２の隅部の三角形状の部分Ｐ１及びＰ２の２辺にそれぞれ２組のスナップ２１，２２及びスナップ２３，２４の雌部と雄部を分けて配置している。この実施例では、隅部を折り畳んで三角形状の部分Ｐ１,Ｐ２を作った後、対角線Ｌ２で折り畳んで各組のスナップを留め、マチ部を形成する（図５（ｂ））。
なお、本実施例においても、三角形部分Ｐ１,Ｐ２の２辺に取り付けるスナップの数は、風呂敷の大きさに応じて適宜増やすことができる。図５（ｃ）は部分Ｐ１に３組のスナップ２１，２２，２５と、部分Ｐ２に３組のスナップ２３，２４，２６を取り付けた例を示す。
【００２０】
なお、本発明は上記した実施例に限定されるものではなく、適宜の変更、追加が可能である。
例えば、隅部を連結して把持部とするためのスナップも複数組設けても良い。
方形布帛としては風呂敷に限らず、ハンカチやバンダナ、スカーフ等でも良い。
布帛本体は正方形状に限らず、長方形状であっても良い。
【００２１】
スナップは、布帛本体に縫いつけるタイプのもの、ツメを有する部品と溝を有する部品で布帛本体を挟み込んで該布帛本体に取り付けるタイプのもの等、適宜のタイプのものを用いることができる。
【符号の説明】
【００２２】
１…風呂敷
１Ａ…手提げ袋
２…風呂敷本体
３…第１のスナップ
４〜７、１０〜１３、２１〜２６…第２のスナップ
【図１】
0003156333.tif 000003
【図２】
0003156333.tif 000004
【図３】
0003156333.tif 000005
【図４】
0003156333.tif 000006
【図５】
0003156333.tif 000007